(57)【要約】【課題】アイロンを載置部に保持した状態を維持し、安全かつ容易に保持する。【解決手段】アイロン１は、かけ面４を有する加熱部３と、加熱部３の上面側を覆う断熱部８と、断熱部８の上方に配設された筐体９を有し、スタンド１３は、アイロン１のかけ面４を下向きにして載置する載置部１４と、アイロン１を載置部１４に載置された状態に保持する保持装置４５と、スタンド１３に回動自在に設けられた運搬用のハンドル４４を有し、保持装置４５は、アイロン１を保持する保持部４６をスタンド１３に可動自在に備え、ハンドル４４の持ち運び位置への操作に連動して、載置部１４に載置されたアイロン１の載置部１４の近傍を保持部４６で保持するようにしたものである。【選択図】図３
2015062624.tif 000002
【特許請求の範囲】
【請求項１】
アイロンと、前記アイロンを載置するスタンドとを備え、前記アイロンは、かけ面を有する加熱部と、前記加熱部の上面側を覆う断熱部と、前記断熱部の上方に配設された筐体を有し、前記スタンドは、前記アイロンのかけ面を下向きにして載置する載置部と、前記アイロンを前記載置部に載置された状態に保持する保持装置と、前記スタンドに回動自在に設けられた運搬用のハンドルを有し、前記保持装置は、前記アイロンを保持する保持部を前記スタンドに可動自在に備え、前記ハンドルの持ち運び位置への操作に連動して、前記載置部に載置された前記アイロンの前記載置部の近傍を前記保持部で保持するアイロン装置。
【請求項２】
前記保持装置は、前記ハンドルの持ち運び位置への操作に連動して、前記載置部に載置された前記アイロンの前記断熱部を保持する請求項１記載のアイロン装置。
【請求項３】
前記保持装置は、回転軸を中心として載置部に回動自在に設けられた保持部と、前記保持部を回動方向へ付勢するばねと、前記ハンドルに設けられたアーム部と、前記アーム部に設けられたカム部を有し、前記ハンドルの動作に前記アーム部が連動し、前記カム部を介して前記保持部が回動する請求項１または２記載のアイロン装置。
【請求項４】
前記ハンドルは、持ち運び時に、前記載置部に載置された前記アイロンの前記筐体の上方に位置し、前記筐体の長手方向に沿って形成された請求項１〜３のいずれか１項に記載のアイロン装置。
【発明の詳細な説明】
【技術分野】
【０００１】
本発明は、衣類等の繊維製品のしわ伸ばしに用いられるアイロン装置に関する。
【背景技術】
【０００２】
従来、この種のアイロン装置は、アイロンとスタンドを備える。そして、衣類のしわを伸ばすときはアイロンをスタンドから取り外して行われ、衣類の形を整えるときはアイロンをスタンドに載置して行われる。アイロンがけ作業は、アイロンをスタンドに載置する動作と、アイロンをスタンドから離脱する動作が繰り返し行われる。
【０００３】
アイロン装置は、不使用時にはアイロンをスタンドに載置して所定の保管場所に収納される。そして、使用時には、アイロンをスタンドに載置した状態で、保管場所からアイロンがけを行う場所まで運ばれる。運搬時、アイロンがスタンドから脱落しないように注意深く運ばれるが、容易に運搬できるように、アイロンをスタンドに固定することが考えられている（例えば、特許文献１〜３参照）。
【０００４】
特許文献１に記載された従来のアイロン装置は、ケースカバーの内側にアイロン本体の把手を固定する保持装置を有する。これにより、アイロン本体を収納して持ち運ぶときに、アイロン本体がケースカバー内で動かないようにしてタンクやアイロン載置台に傷をつけるのを防いでいる。
【０００５】
特許文献２に記載された従来のコードレスアイロンは、アイロン本体を載置台に固定するロック部材を有する。これにより、不使用時には、アイロン本体を覆う収納ケースが載置台に装着され、載置台に自立状態で置かれたアイロン本体の係止溝にロック部材が係合してアイロン本体を載置台に固定する。使用時には、収納ケースが載置台から取り外されると、ロック部材がアイロン本体から外れてアイロン本体が使用できる。
【０００６】
特許文献３に記載された従来のアイロン装置は、アイロン本体を載置台に固定する係止具を載置台に回動自在に有する。これにより、載置台にアイロン本体が載置された状態で、係止具がアイロン本体の上方へ回動すると、係止具に設けられた係止部がアイロン本体上方の係止位置へ回動して係合し、アイロン本体が載置台に固定される。係止具は運搬用の取っ手を有し、この取っ手が持ち運び位置へ回動することによって、係止部がアイロン本体上方の係止位置へ回動し、アイロン本体の脱落が防止される。
【先行技術文献】
【特許文献】
【０００７】
【特許文献１】特開昭５９―０７５０９９号公報
【特許文献２】特開昭６３―１３２７００号公報
【特許文献３】実開平０４―０６８７９８号公報
【発明の概要】
【発明が解決しようとする課題】
【０００８】
しかしながら、前記特許文献１に記載された従来のアイロン装置は、保持装置がアイロン本体の把手を跨ぐように上方から保持する。この構成では、使用者がケースカバーに設けられた運搬用のハンドルを掴んで持ち上げると、ケースカバーが上方へ変位する。これにより、保持装置とアイロン本体の把手との間に隙間が発生し、持ち運び時にアイロン本体がいくらかは動揺してしまうという課題があった。
【０００９】
また、特許文献２に記載された従来のコードレスアイロンは、ロック部材がアイロン本体から外れる方向に外方へ付勢されている。そのため、収納ケースを載置台に装着するときは、その付勢力に抗して装着する必要がある。また、収納ケースを載置台から取り外すときは、その付勢力が収納ケースに作用する。そのため、収納ケースを脱着する際の使い勝手が悪いという課題があった。
【００１０】
また、前記特許文献３に記載された従来のアイロン装置は、係止具に運搬用の取っ手と、固定用の係止部が設けられており、これらの取っ手と係止部の回動軸が同一である。したがって、持ち運び時に、アイロン本体と載置台の重量が係止具にかかり、係止部が押圧しているハンドルの係合受部から離れる方向に変位する。そのため、持ち運び時に係止部とアイロン本体との間に隙間が発生し、アイロン本体がいくらかは動揺してしまうという課題があった。また、アイロン本体の上部にあるハンドルは、使用直後の高温に加熱された状態と、格納されることによって常温に低下した状態とでは、温度の変動による全体の形状変化の影響を大きく受ける。このため、係止具による押圧力が変化し、アイロン本体の上方を保持した状態を安定的に維持することが難しいという課題があった。特に、載置台にスチーム発生装置が内蔵されているアイロン装置の場合は、載置台の重量が一層重くなり、上記の現象がより顕著になる。
【００１１】
以上のように、前記従来の構成では、アイロンを載置台に保持された状態に維持することが難しく、持ち運び時にアイロンの動揺を防ぐことが難しいという課題があった。
【００１２】
本発明は、前記従来の課題を解決するもので、アイロンを載置部に保持した状態を維持し、安全かつ容易に保持することができるようにしたアイロン装置を提供することを目的とする。
【課題を解決するための手段】
【００１３】
前記従来の課題を解決するために、本発明のアイロン装置は、アイロンと、前記アイロンを載置するスタンドとを備え、前記アイロンは、かけ面を有する加熱部と、前記加熱部の上面側を覆う断熱部と、前記断熱部の上方に配設された筐体を有し、前記スタンドは、前記アイロンのかけ面を下向きにして載置する載置部と、前記アイロンを前記載置部に載置された状態に保持する保持装置と、前記スタンドに回動自在に設けられた運搬用のハンドルを有し、前記保持装置は、前記アイロンを保持する保持部を前記スタンドに可動自在に備え、前記ハンドルの持ち運び位置への操作に連動して、前記載置部に載置された前記アイロンの前記載置部の近傍を前記保持部で保持するものである。
【００１４】
これによって、アイロンを載置部に保持した状態を維持して持ち運び時にアイロンの動揺を防止するとともに、使用直後の高温に加熱されたアイロンを載置部に安全かつ容易に保持することができる。
【発明の効果】
【００１５】
本発明のアイロン装置は、アイロンを載置部に保持した状態を維持するとともに、アイロンを載置部に安全かつ容易に保持することができる。
【図面の簡単な説明】
【００１６】
【図１】本発明の実施の形態１におけるアイロン装置の外観斜視図
【図２】本実施の形態におけるアイロン装置の要部断面図
【図３】本実施の形態におけるアイロン装置の一部切欠要部断面図
【図４】本実施の形態におけるアイロン装置の図３のＡ矢視図
【図５】本実施の形態におけるアイロン装置の一部切欠要部断面図
【図６】本実施の形態におけるアイロン装置の連結部の断面図
【図７】本実施の形態におけるアイロン装置のブロック図
【発明を実施するための形態】
【００１７】
第１の発明は、アイロンと、前記アイロンを載置するスタンドとを備え、前記アイロンは、かけ面を有する加熱部と、前記加熱部の上面側を覆う断熱部と、前記断熱部の上方に配設された筐体を有し、前記スタンドは、前記アイロンのかけ面を下向きにして載置する載置部と、前記アイロンを前記載置部に載置された状態に保持する保持装置と、前記スタンドに回動自在に設けられた運搬用のハンドルを有し、前記保持装置は、前記アイロンを保持する保持部を前記スタンドに可動自在に備え、前記ハンドルの持ち運び位置への操作に連動して、前記載置部に載置された前記アイロンの前記載置部の近傍を前記保持部で保持するものである。この構成により、アイロンを載置部に保持した状態を維持して持ち運び時にアイロンの動揺を防止するとともに、使用直後の高温に加熱されたアイロンを載置部に安全かつ容易に保持することができる。
【００１８】
すなわち、アイロンを載置部に載置された状態に保持する保持装置の保持部をスタンドに設け、保持部がハンドルの動作に連動する。そのため、ハンドルが持ち運び位置へ回動したときに、アイロンの載置部の近傍を保持部が保持することができる。かけ面を下向きにして載置部に載置されたアイロンの載置部に近い部分は、加熱部と、この加熱部の上面側を覆う断熱部である。これらは、高温に加熱される部分である。加熱部は、金属（例えば、アルミニウムやステンレス等）で形成される。また、断熱部は、耐熱樹脂（例えば、ポリブチレンテレフタレート）で形成される。いずれも熱に強く堅牢である。したがって、アイロンを載置部に載置された状態に安定的に保持することができる。そして、使用者は、アイロンがけ作業が終わるとハンドルを持ち運び位置へ回動させることによって、使用直後の高温に加熱されているアイロンの高温部に触れることなく、保持部をアイロンの保持位置へ安全かつ容易に移動させることができる。そして、保持部はアイロンを載置部に安全に保持することができる。
【００１９】
第２の発明は、特に、第１の発明において、前記保持装置は、前記ハンドルの持ち運び位置への操作に連動して、前記載置部に載置された前記アイロンの前記断熱部を保持する。これにより、温度の変動による形状変化が少ない断熱部は堅牢であり、アイロンを載置部に安定的に保持することができる。
【００２０】
第３の発明は、特に、第１または第２の発明において、前記保持装置は、回転軸を中心として載置部に回動自在に設けられた保持部と、前記保持部を回動方向へ付勢するばねと、前記ハンドルに設けられたアーム部と、前記アーム部に設けられたカム部を有し、前記ハンドルの動作に前記アーム部が連動し、前記カム部を介して前記保持部が回動する。これにより、保持装置は、ハンドルの操作に保持部を連動させてアイロンの保持位置へ可動させることができ、高温のままのアイロンであっても載置部に安全かつ容易に保持することができる。
【００２１】
第４の発明は、特に、第１〜第３のいずれか１つの発明において、前記ハンドルは、持ち運び時に、前記載置部に載置された前記アイロンの前記筐体の上方に位置し、前記筐体の長手方向に沿って形成されたものである。これにより、運搬時の動揺が少なくて安定性が高く、持ち運びを簡便にすることができる。
【００２２】
以下、本発明の実施の形態について、図面を参照しながら説明する。なお、この実施の形態によって本発明が限定されるものではない。
【００２３】
（実施の形態１）
図１は、本発明の実施の形態１におけるアイロン装置の外観斜視図である。図２は、本
実施の形態におけるアイロン装置の要部断面図である。図３は、本実施の形態におけるアイロン装置の一部切欠要部断面図で、図４は、図３のＡ矢視図である。図５は、本実施の形態におけるアイロン装置の一部切欠要部断面図である。
【００２４】
図１〜図５に示すように、アイロン１は、ヒータ２によって加熱される加熱部３を有している。加熱部３は、良熱伝導性のアルミニウムで成型され、下面に衣類等をプレスするかけ面４を形成している。かけ面４の表面は、硬質で滑りのよい加工が施されている。かけ面４の長手方向となる前部４ａと後部４ｂは尖り形状に形成され、衣類上を移動させるときに前進と後退がスムースに行えるようになっている。
【００２５】
加熱部３の上面側に蓋５でシールされたスチーム室６が形成されている。かけ面４には、スチーム室６から通じる多数のスチーム噴出孔７が設けられている。加熱部３の上面側は、そのほぼ全域を断熱部８で覆われている。断熱部８は、耐熱性の樹脂（例えばポリブチレンテレフタレート）の成型品で構成されている。筐体９は、断熱部８の上方に配設されている。筐体９は、樹脂（例えばポリプロピレン）の成型品で構成され、筐体９の上部に前後方向、すなわち筐体９の長手方向に延びるグリップ１０を一体に形成している。
【００２６】
サーモスタット１１は、アイロン１のヒータ回路を制御し、加熱部３の温度を、例えば８０℃〜２００℃に調整する。加熱部３の温度を設定する温度調節部１２はサーモスタット１１に連結され、グリップ１０の下方に回動可能に設けられている。
【００２７】
スタンド１３は、上面にアイロン１を載置する載置部１４が設けられている。載置部１４は、前上がりに傾斜（例えば２０度）しており、加熱部３のかけ面４を下向きにしてアイロン１が載置される。傾斜した載置部１４は、アイロン１の載置時に後方への移動を容易にし、載置部１４の後部に設けられたガイド部１５に沿って所定の位置に載置することができる。
【００２８】
運搬用のハンドル４４が、スタンド１３に回動自在に設けられている。ハンドル４４は、持ち運び時に載置部１４に載置されたアイロン１の筐体９の上方に位置し、筐体９の長手方向に沿って形成されている。アイロン１が使用される時には、スタンド１３の側方へ回動して邪魔にならない。
【００２９】
載置検知部１６は、かけ面４に対向してスタンド１３に設けられている。載置検知部１６は、載置部１４へのアイロン１の載置と、載置部１４からのアイロン１の離脱を検知する。載置検知部１６は、載置部１４の上面に先端の検知部１７を突出させた操作棒１８と、操作棒１８の上下方向の変位に応じて動作するスイッチ１９が設けられている。
【００３０】
操作棒１８は、ばね２０によって載置部１４側へ付勢され、検知部１７が載置部１４の上面から所定量突出するように設定されている。載置部１４上にアイロン１が載置されると、かけ面４によって検知部１７が後述する水封部２２を介して押圧され、ばね２０の付勢力に抗して操作棒１８が下方へ押し下げられる。スイッチ１９は、操作棒１８の近傍に設けられており、リミットスイッチで構成されている。操作棒１８に設けられた操作部２１が上下動することでスイッチ１９をオンオフし、アイロン１の載置と離脱を検知する。
【００３１】
載置部１４は、載置検知部１６の位置に合わせて、突出した操作棒１８を覆うように変形可能な可撓性の水封部２２を有している。水封部２２は、耐熱性のシリコンゴム等で形成され、スタンド１３内への水の浸入を防止している。
【００３２】
スチーム発生装置２３は、スタンド１３内に設けられている。スチーム発生装置２３は、加熱ヒータ２９を有してアイロン１に供給するスチームを発生させる気化室２４と、発
生したスチームのアイロン１への供給と停止を行う電磁式のスチームバルブ２５と、スチーム発生用の水を貯留する水タンク２６と、水タンク２６内の水を気化室２４へ供給する給水ポンプ２７を有している。水タンク２６と給水ポンプ２７と気化室２４は、送水パイプ２８で連通接続している。加熱ヒータ２９は、気化室２４の底部に取り付けられている。
【００３３】
気化室２４は、給水ポンプ２７によって気化室２４へ供給された水量を検知する水位検知部３０と、気化室２４の温度を検知する温度検知部３１を有している。水位検知部３０は、気化室２４内の下方へ向かって上部から突出させた電極を有し、気化室２４への送水により上昇する水位と、スチームの発生にともない低下する水位を検知する。温度検知部３１は、例えばサーミスタ等で構成され、気化室２４の外壁に取り付けられている。温度検知部３１は、気化室２４内で発生したスチームの温度を気化室２４の壁を通して精度よく感知するために、気化室２４内の水面より上方のスチームが充満する部分に設けられている。
【００３４】
気化室２４内で発生するスチームは、所定の圧力（例えば５気圧）に高められる。スチーム発生装置２３には、気化室２４内の圧力の過昇を防止する圧力弁３２が設けられている。圧力弁３２は、気化室２４内の圧力が予め設定された閾値を超えると、スチームを気化室２４の外へ放出して所定の圧力を維持する。排水口３３は、気化室２４の底部に設けられている。排水口３３は、ねじ込み式で取外し可能な排水栓３４で閉じられている。使用者は、排水栓３４を外すことにより気化室２４内の水を排水することができる。
【００３５】
水タンク２６は、スタンド１３内の前部に形成された空間に配設されている。水タンク２６が配設されている空間は、前上がりに傾斜した載置部１４の下方に形成されており、水タンク２６にアイロンがけにおける十分な貯水量を確保することが可能である。水タンク２６は上方前部に注水口３５を有し、スタンド１３に対して取外し可能に装着されている。水タンク２６は、水タンク２６内の底部にその開口部を位置させた吸水パイプ３６を有する。吸水パイプ３６は、水タンク２６がスタンド１３へ装着される時に、送水パイプ２８に接続される。
【００３６】
水タンク２６内の水は、給水ポンプ２７によって気化室２４へ供給される。給水ポンプ２７が動作すると、水タンク２６内の水は吸水パイプ３６を通して給水ポンプ２７に吸い込まれ、送水パイプ２８を通って気化室２４内に流入する。給水ポンプ２７は、制御部３７に入力される水位検知部３０の出力によって制御される。
【００３７】
図６は、本実施の形態におけるアイロン装置の連結部の断面図である。アイロン１とスタンド１３は、屈曲自在の連結部３８で連結されている。アイロン１側はスチーム導入部４０を通してスチーム室６に接続され、スタンド１３側は気化室２４に接続している。連結部３８は、アイロン１を載置部１４から取り外してアイロンがけを行う際に、アイロン台の上に広げられた衣類のしわ伸ばしに必要かつ十分な長さ（例えば、１．５ｍ）を有している。そして、図５に示すように、スチームが通るスチーム供給部３９は、断熱構造で連結部３８に内蔵されている。スチーム供給部３９は、耐熱性を有する可撓性のホースで構成され、アイロン１側はスチーム導入部４０を通してスチーム室６に接続され、スタンド１３側は気化室２４に接続している。連結部３８内には、アイロン１のヒータ回路に接続されている電源電線４２と、スチームスイッチ４１と制御部３７を接続している接続線４３が、スチーム供給部３９とともに一体に設けられている。
【００３８】
スタンド１３に設けられた制御部３７は、熱や水の影響を受けないように配設される。図７は、本実施の形態におけるアイロン装置のブロック図である。制御部３７は、載置検知部１６、水位検知部３０、温度検知部３１等からの入力に基づき、スチームバルブ２５
、給水ポンプ２７、加熱ヒータ２９等を制御する。
【００３９】
図２に示すように、アイロン１のスチームスイッチ４１は、グリップ１０の前部下面に設けられている。スチームスイッチ４１は、リミットスイッチで構成され、オンオフ操作によってスチームバルブ２５を開閉し、スチーム供給部３９を通してアイロン１へのスチームの供給と停止を行うことができる。スチームスイッチ４１は、グリップ１０の前部下面に配設されることにより、使用者は、グリップ１０を持ち替えることなく、グリップ１０を把持した状態において指先でスチームスイッチ４１を容易に操作できる。
【００４０】
図１〜図４に示すように、アイロン１を載置部１４に載置された状態に保持する保持装置４５は、水タンク２６の上方で載置部１４の前部上面に設けられている。保持装置４５は、アイロン１を保持する保持部４６と、保持部４６を図３の矢印Ｃで示される回動方向に対向してアイロン１側へ付勢するばね４７と、保持部４６を回動させるアーム部４８を有する。
【００４１】
保持部４６は、載置部１４に載置されたアイロン１の前方に位置し、回転軸４９を中心として回動自在に設けられている。回転軸４９は、ハンドル軸４４ａと直交する方向に設けられている。保持部４６は保持部４６ａと保持部４６ｂとで略Ｖ字状に形成されている。アイロン１の断熱部８の外周壁面に対向する保持部４６ａは、弾性を有する耐熱性の押えゴム５０を有している。
【００４２】
アーム部４８は、回動するハンドル４４に取り付けられており、ハンドル軸４４ａを中心としてハンドル４４と一体的に回動する。アーム部４８は下側にカム部５１を有している。図４の矢印Ｂで示される左方向にハンドル４４が回動すると、カム部５１も矢印ｂで示される下方向に回動して保持部４６ｂに当接する。そして、回動しながら保持部４６ｂを下方に押さえつけて保持部４６を前方向に回動させる。
【００４３】
一方、アーム部４８は、ハンドル４４が矢印Ｂとは反対の矢印Ｄの方向に回動し、持ち運び位置へ回動すると、保持部４６ｂから離れる。ばね４７は、保持部４６をアイロン１側へ付勢するように設けられている。従って、保持部４６は、アーム部４８が保持部４６ｂから離れると、ばね４７の付勢力により回転軸４９を中心としてアイロン１側へ変位する。これにより、保持部４６は、載置部１４に載置されたアイロン１の載置部１４の近傍であるところの断熱部８に押えゴム５０を押し付けてアイロン１を保持する。
【００４４】
以上のように構成されたアイロン装置について、以下その動作、作用を説明する。使用者は、アイロン１をスタンド１３の載置部１４に載置した状態で、スタンド１３から導出されている電源電線４２を商用電源に接続し、温度調節部１２でアイロン１の加熱部３の温度を設定する。サーモスタット１１は、加熱部３の温度を感知してヒータ２の通電を制御し、設定された温度に調節する。スチーム発生装置２３は、加熱ヒータ２９で気化室２４内の水を加熱し、所定の圧力に高められたスチームを気化室２４内に保有する。
【００４５】
使用者がアイロン１を載置部１４から取り外した状態でスチームスイッチ４１をオンにすると、スチームバルブ２５が開かれ、気化室２４内のスチームが、スチーム供給部３９を経てアイロン１のスチーム室６に導入されてスチーム噴出孔７から噴出する。スチームは、スチームスイッチ４１のオン時のみ噴出し、アイロンがけ中は必要の都度任意に噴出させることができる。
【００４６】
使用者は、アイロンがけ作業が終わると、アイロン１の加熱部３のかけ面４を下向きにしてスタンド１３の載置部１４に載置する。アイロン１は傾斜した載置部１４を後方へ移動し、ガイド部１５に沿って所定の位置に載置される。使用者は、アイロンがけの作業中
、ハンドル４４をスタンド１３の側方に位置させている。アイロンがけ作業が終わると、図４のＸの位置からＹの位置へハンドル軸４４ａを中心として矢印Ｄの方向へ回動させ、ハンドル４４を筐体９の上方へ位置させる。このとき、アーム部４８は、ハンドル４４の回動に連動し、保持部４６ｂから離れる。これにより、保持部４６は、ばね４７の付勢力により回転軸４９を中心としてアイロン１側へ変位する。そして、載置部１４に載置されたアイロン１の載置部１４の近傍であるところの断熱部８に押えゴム５０が当接し、アイロン１は、保持部４６によって所定の位置に保持される。
【００４７】
このようにして、使用者がハンドル４４を持ち運び位置へ移動させると、アーム部４８が保持部４６から離れ、アイロン１側に設定されたばね４７の付勢力を有する保持部４６によって、アイロン１を安定的に保持することができる。
【００４８】
また、温度の変動による形状変化が少なく堅牢なアイロン１の断熱部８を保持部４６が押圧することにより、アイロン１を載置部１４に安定的に保持することができる。そして、ハンドル４４を持ち運び位置へ回動させることによって、使用直後の高温に加熱されているアイロン１であってもその高温部に触れることなく、保持部４６をアイロン１の保持位置へと可動させることができ、アイロン１を載置部１４に安全かつ容易に保持することができる。
【００４９】
また、ハンドル４４がアイロン１の筐体９長手方向に沿ってスタンド１３に載置されたアイロン１の上方に位置するため、運搬時の動揺が少なくて安定性が高く、持ち運びを簡便にすることができる。
【００５０】
そして、使用時は、アイロン１が載置部１４に保持された状態で所定の保管場所からアイロンがけ作業を行う場所まで運ばれる。使用者は、筐体９の上方に位置しているハンドル４４を、図４のＹの位置からＸの位置へハンドル軸４４ａを中心として矢印Ｂの方向へ回動させ、スタンド１３の側方に位置させる。ハンドル４４の回動にアーム部４８が連動し、ハンドル軸４４ａを中心として回動すると、アーム部４８の下端に設けたカム部５１が保持部４６ｂに当接する。そして、アーム部４８は、ばね４７の付勢力に抗して保持部４６を矢印Ｃの方向へ回動させ、押えゴム５０をアイロン１から離れた位置へ変位させる。これにより、アイロン１は保持部４６から解放され、載置部１４から取り外すことができるようになる。使用中はこの状態が維持される。
【００５１】
以上のように、本実施の形態のアイロン装置は、アイロン１と、アイロン１を載置するスタンド１３とを備え、アイロン１は、かけ面４を有する加熱部３と、加熱部３の上面側を覆う断熱部８と、断熱部８の上方に配設された筐体９を有する。スタンド１３は、アイロン１のかけ面４を下向きにして載置する載置部１４と、アイロン１を載置部１４に載置された状態に保持する保持装置４５と、スタンド１３に回動自在に設けられた運搬用のハンドル４４を有する。保持装置４５は、アイロン１を保持する保持部４６をスタンド１３に可動自在に備え、ハンドル４４の持ち運び位置への操作に連動して、載置部１４に載置されたアイロン１の載置部１４の近傍を保持部４６で保持する。以上の構成により、アイロン１を載置部１４に保持した状態を維持して運搬時にアイロン１の動揺を防止するとともに、使用直後の高温に加熱されたアイロン１を載置部１４に安全かつ容易に保持することができる。
【００５２】
なお、本実施の形態では、ばね４７による保持部４６の付勢方向をアイロン１側に設定したが、保持部４６をアイロン１から離れる方向へ付勢するように設定してもよい。この場合、ハンドル４４を立てるときに、例えばアーム部４８により保持部４６をアイロン１に押付ける構成とする。要は、ハンドル４４の持ち運び位置への操作に連動して、アイロン１を載置部１４に保持することができればよい。
【００５３】
また、本実施の形態では、ハンドル４４を矢印Ｂの左方向に回動させてアイロン１を載置部１４への保持から開放されることを説明したが、アーム部４８およびカム部５１を、ハンドル軸４４ａを中心として左右対称に構成すれば、ハンドル４４を右方向に回動させても開放することができる。
【００５４】
また、本実施の形態では、アイロン１の断熱部８を１点で保持するようにしたが、複数点で保持するようにしてもよい。また、断熱部８を保持するのではなく、加熱部３の縁に保持部４６を係合させて保持するようにしてもよい。また、断熱部８と加熱部３の両方を保持するようにしてもよい。要は、アイロン１の堅牢な部分を載置部１４に安定的に保持することができればよい。
【産業上の利用可能性】
【００５５】
以上のように、本発明にかかるアイロン装置は、アイロンを載置部に保持した状態を維持するとともに、アイロンを載置部に安全かつ容易に保持することができるので、アイロン装置として有用である。
【符号の説明】
【００５６】
１  アイロン
３  加熱部
４  かけ面
８  断熱部
９  筐体
１３  スタンド
１４  載置部
４４  ハンドル
４５  保持装置
４６、４６ａ、４６ｂ  保持部
４８  アーム部
４９  回転軸
５１  カム部
【図１】
2015062624.tif 000003
【図２】
2015062624.tif 000004
【図３】
2015062624.tif 000005
【図４】
2015062624.tif 000006
【図５】
2015062624.tif 000007
【図６】
2015062624.tif 000008
【図７】
2015062624.tif 000009